(57)【要約】【課題】中栓および上蓋を外側から覆うシュリンク包装体を一旦開封すると、分離したシュリンク包装体と上蓋とを装着状態に戻した場合でも、開封済であることを確実に視認できるシュリンク包装体付きキャップを提供する。【解決手段】容器２に取り付けられる中栓４と、回転することにより中栓４に着脱自在な上蓋５と、これらの中栓４および上蓋５を外側から覆うシュリンク包装体６と、を有するシュリンク包装体付きキャップ１である。シュリンク包装体６に、キャップの周方向に沿って形成された横ミシン目線６１と、この横ミシン目線６１に交差する縦方向に沿って形成された縦ミシン目線６２と、が設けられ、中栓４の外周に、径方向に突出して形成され、上蓋５が回転された際にシュリンク包装体６に引っ掛かる突状部４１が設けられている。【選択図】図１
2020059539.tif 000002
【特許請求の範囲】
【請求項１】
容器に取り付けられる中栓と、回転することにより中栓に着脱自在な上蓋と、これらの中栓および上蓋を外側から覆うシュリンク包装体と、を有するシュリンク包装体付きキャップであって、
シュリンク包装体に、キャップの周方向に沿って形成された横ミシン目線と、この横ミシン目線に交差する縦方向に沿って形成された縦ミシン目線と、が設けられ、
中栓の外周に、径方向に突出して形成され、上蓋が回転された際にシュリンク包装体に引っ掛かる突状部が設けられていることを特徴とするシュリンク包装体付きキャップ。
【請求項２】
縦ミシン目線が複数形成され、各縦ミシン目線の下端部が横ミシン目線にそれぞれ接続され、シュリンク包装体の各縦ミシン目線の下端部と横ミシン目線との接続部間の少なくとも一部がつながった状態で横ミシン目線が形成されていることを特徴とする請求項１に記載のシュリンク包装体付きキャップ。
【請求項３】
縦ミシン目線が複数形成され、各縦ミシン目線の下端部が横ミシン目線にそれぞれ接続され、シュリンク包装体の各縦ミシン目線の下端部と横ミシン目線との接続部間が切断されていることを特徴とする請求項１に記載のシュリンク包装体付きキャップ。
【請求項４】
横ミシン目線が、突状部が設けられている中栓の外周よりも下方で径が小さい箇所に設けられていることを特徴とする請求項１〜３の何れか１項に記載のシュリンク包装体付きキャップ。
【請求項５】
横ミシン目線が、突状部が設けられている中栓の外周に対応する箇所に設けられていることを特徴とする請求項１〜３の何れか１項に記載のシュリンク包装体付きキャップ。
【発明の詳細な説明】
【技術分野】
【０００１】
本発明は容器に取り付けられるキャップに関し、特に、キャップの中栓および上蓋が、シュリンク包装体（熱収縮フィルム）により覆われているシュリンク包装体付きキャップに関する。
【背景技術】
【０００２】
容器に取り付けられるキャップとして、容器の口部に取り付けられる中栓と、回転することにより中栓に着脱自在な上蓋と、に加えて、これらの中栓および上蓋を外側から覆うシュリンク包装体（熱収縮フィルム）などのシール用フィルムを有するものは、既に知られている。
【０００３】
例えば、特許文献１には、中栓および上蓋を外側から覆うシール用フィルムに、キャップの周方向に沿って形成された横ミシン目線（横破断用の切込み点線）と、この横ミシン目線に交差する（直交する）縦方向に沿って形成された縦ミシン目線（縦破断用の切込み点線）と、を設けたもの（ラムネ容器）が開示されている。このようにシュリンク包装体などのシール用フィルムで覆われたキャップにおいて、横ミシン目線および縦ミシン目線に沿って破断するとともにシール用フィルムを縦横に広げて開封すると、この縦横に広がったシール用フィルムを視認することで、既に開封されていることを認識できる。
【先行技術文献】
【特許文献】
【０００４】
【特許文献１】登録実用新案３０２８１４６号公報
【発明の概要】
【発明が解決しようとする課題】
【０００５】
しかしながら、上記特許文献１に開示されているように、シュリンク包装体などのシール用フィルムに、横ミシン目線と縦ミシン目線とを形成しただけでは、開封する際の動作などを工夫することで、開封した後に視認し難い状態に戻すことが可能である。
【０００６】
すなわち、未開封の状態から、シュリンク包装体などのシール用フィルムが拡がらないように手で押さえながら上蓋部分を回転して、横ミシン目線や、縦ミシン目線の一部を破断しながら開けると、破断部分を除いてシュリンク包装体が殆ど変形していない状態で、シール用フィルムがついたままの上蓋を中栓から取り外すことが可能である。そして、このようにして開封した後に、シール用フィルムと上蓋とを装着状態に戻せば、開封済であることが視認し難い状態にすることができ、この結果、悪戯防止機能を良好には発揮できなくなってしまう。
【０００７】
本発明は上記課題を解決するもので、中栓および上蓋を外側から覆うシュリンク包装体を一旦開封すると、分離したシュリンク包装体と上蓋とを装着状態に戻した場合でも、開封済であることを確実に視認できるシュリンク包装体付きキャップを提供することを目的とするものである。
【課題を解決するための手段】
【０００８】
上記課題を解決するために、本発明は、容器に取り付けられる中栓と、回転することにより中栓に着脱自在な上蓋と、これらの中栓および上蓋を外側から覆うシュリンク包装体と、を有するシュリンク包装体付きキャップであって、シュリンク包装体に、キャップの周方向に沿って形成された横ミシン目線と、この横ミシン目線に交差する縦方向に沿って形成された縦ミシン目線と、が設けられ、中栓の外周に、径方向に突出して形成され、上蓋が回転された際にシュリンク包装体に引っ掛かる突状部が設けられていることを特徴とする。
【０００９】
上記構成によれば、シュリンク包装体に、横ミシン目線と縦ミシン目線とを設ける構成に加えて、中栓の外周に、径方向に突出して形成され、上蓋が回転された際にシュリンク包装体に引っ掛かる突状部を設けているので、上蓋（詳しくは、シュリンク包装体における上蓋を覆っている箇所）を開く方向に回転させると、突状部がシュリンク包装体に引っ掛かりながら移動して、シュリンク包装体が径方向に拡がったり上方にめくれ上がったりするなどして比較的大きく変形するとともに横ミシン目線や縦ミシン目線が切断される。これにより、中栓および上蓋を外側から覆うシュリンク包装体を一旦開封すると、シュリンク包装体が比較的大きく変形しながら、横ミシン目線や縦ミシン目線が切断されるので、分離したシュリンク包装体と上蓋とを装着状態に戻した場合でも、開封済であることを確実に視認することができる。
【００１０】
また、この場合に、縦ミシン目線が複数形成され、各縦ミシン目線の下端部が横ミシン目線にそれぞれ接続され、シュリンク包装体の各縦ミシン目線の下端部と横ミシン目線との接続部間の少なくとも一部がつながった状態で横ミシン目線が形成されていると好適である。
【００１１】
この構成によれば、未開封状態から上蓋を回転させると、最終的にはシュリンク包装体の各縦ミシン目線の下端部と横ミシン目線との接続部間がつながりながら、横ミシン目線の他の部分と、縦ミシン目線の一部とが切断されて、切断された部分が螺旋形状に変形して分離された状態となり易くなる。したがって、このような状態から、意図的に分離したシュリンク包装体と上蓋とを装着状態に戻した者がいた場合でも、シュリンク包装体を元の状態に近づけることは困難であり、シュリンク包装体付きキャップを見た人は開封済であることを確実に視認することができる。
【００１２】
また、これに代えて、縦ミシン目線が複数形成され、各縦ミシン目線の下端部が横ミシン目線にそれぞれ接続され、シュリンク包装体の各縦ミシン目線の下端部と横ミシン目線との接続部間が切断された状態で横ミシン目線が形成されていてもよい。
【００１３】
この構成によれば、未開封状態から上蓋を回転させると、最終的にはシュリンク包装体の横ミシン目線でこれより上方の部分と、下方の部分とが、互いに大きく分離された状態となる。例えば、横ミシン目線よりも下方の部分が、中栓の突状部が設けられている外周よりも下方に残り、一方で、横ミシン目線よりも上方の部分は、外周側および上方に大きく変形した状態となる。したがって、このような状態から、意図的に分離したシュリンク包装体と上蓋とを装着状態に戻した者がいた場合でも、シュリンク包装体を元の状態に近づけることは困難であり、シュリンク包装体付きキャップを見た人は開封済であることを確実に視認することができる。
【００１４】
また、横ミシン目線が、突状部が設けられている中栓の外周よりも下方で径が小さい箇所に設けられていると好適である。この構成によれば、未開封状態から上蓋を回転させると、横ミシン目線が、突状部が設けられている中栓の外周に達した際に、径が広がりながら突状部により引っ掛けられるため、良好に切断され易くなる。
【００１５】
また、これに代えて、横ミシン目線が、突状部が設けられている中栓の外周に対応する箇所に設けられていてもよく、この構成によっても、上蓋を開く方向に回転させると、突状部がシュリンク包装体に引っ掛かりながら移動して、シュリンク包装体が径方向に拡がったり上方にめくれ上がったりするなどして比較的大きく変形するとともに横ミシン目線や縦ミシン目線が切断されるので、分離したシュリンク包装体と上蓋とを装着状態に戻した場合でも、開封済であることを確実に視認することができる。
【発明の効果】
【００１６】
本発明によれば、シュリンク包装体に、キャップの周方向に沿って形成された横ミシン目線と、この横ミシン目線に交差する縦方向に沿って形成された縦ミシン目線と、を設け、中栓の外周に、径方向に突出して形成され、上蓋が回転された際にシュリンク包装体に引っ掛かる突状部を設けることにより、中栓および上蓋を外側から覆うシュリンク包装体を一旦開封すると、シュリンク包装体が比較的大きく変形しながら、横ミシン目線や縦ミシン目線が切断されるので、分離したシュリンク包装体と上蓋とを装着状態に戻した場合でも、開封済であることを確実に視認することができ、この結果、悪戯防止機能などを良好に維持することができる。なお、中栓の外周に突状部が形成されていることで、シュリンク包装体を熱収縮させて装着する際に、シュリンク包装体を、一層、張った状態で装着することができて、上蓋を回転させて開封する際に、突状部によって、横ミシン目線や縦ミシン目線を、これらの箇所の近傍を変形させながら、より良好に切断できる利点もある。
【図面の簡単な説明】
【００１７】
【図１】本発明の実施の形態に係るシュリンク包装体付きキャップの部分切欠正面図である。
【図２】同シュリンク包装体付きキャップの斜視図である。
【図３】同シュリンク包装体付きキャップのキャップ（シュリンク包装体を除去した状態）の正面断面図である。
【図４】同キャップの斜視図である。
【図５】同キャップの正面図である。
【図６】同キャップの底面図である。
【図７】同シュリンク包装体付きキャップのシュリンク包装体（未収縮時）の正面図である。
【図８】同シュリンク包装体付きキャップのシュリンク包装体（未収縮時）の斜視図である。
【図９】本発明の他の実施の形態に係るシュリンク包装体付きキャップの部分切欠正面図である。
【図１０】同シュリンク包装体付きキャップの斜視図である。
【図１１】同シュリンク包装体付きキャップのシュリンク包装体（未収縮時）の正面図である。
【図１２】同シュリンク包装体付きキャップのシュリンク包装体（未収縮時）の斜視図である。
【図１３】本発明のその他の実施の形態に係るシュリンク包装体付きキャップの部分切欠正面図である。
【図１４】本発明のさらに他の実施の形態に係るシュリンク包装体付きキャップに用いるキャップの正面図である。
【図１５】本発明のさらに他の実施の形態に係るシュリンク包装体付きキャップに用いるキャップの斜視図である。
【発明を実施するための形態】
【００１８】
以下、本発明に係る実施の形態のシュリンク包装体付きキャップを、図面に基づき説明する。
図１〜図３などにおいて、１は、内部に内容物（内容液）が収容されている容器２に取付けられるシュリンク包装体付きキャップである。シュリンク包装体付きキャップ１は、容器２の口部３に取り付けられる中栓４と、回転することにより中栓４に着脱自在な上蓋５と、これらの中栓および上蓋を外側から覆うシュリンク包装体６と、を有する。中栓４と上蓋５とはそれぞれ、例えば合成樹脂により射出成形されるなどして製造されると好適であるが、これに限るものではない。シュリンク包装体６は、中栓４および上蓋５が容器２に取り付けられた状態で、中栓４および上蓋５に外側から被せられ、この後、加熱されて（例えば、高温の蒸気を当てるなどする）収縮され、中栓４および上蓋５に外周側から密着した状態で装着される。
【００１９】
図１などに示すように、中栓４は、容器２の口部３に取り付けられる中栓本体部１０を有しており、中栓本体部１０には、中央から上方に突出して、容器２内の内容物を注出する注出口としてのノズル部１６と、その下部が容器２の口部３に外側から嵌り込む円筒状の外筒部１３と、外筒部１３の内周に隙間を有する状態で設けられてその下部が容器２の口部３に内側から嵌り込む円筒状の内筒部１４と、外筒部１３および内筒部１４のそれぞれ上端部箇所で径方向内側に延びて外筒部１３と内筒部１４などを繋ぐ上面部１５と、上面部１５の内周端より上方に段付きの筒形状に突出するとともに内周側部分でノズル部１６の高さ方向略中央箇所に全周で接続されている段部１７などが形成されている。
【００２０】
図１、図３などに示すように、外筒部１３の下方には、薄肉部１９Ａ（図３参照）を介して下方に延びるとともに径方向外側および内周側にも突出する鍔状部１８が全周に形成され、容器２の使用後などに、鍔状部１８の１か所に形成された縦薄肉溝部１９Ｂ（図３、図４、図６参照）および薄肉部１９Ａから鍔状部１８を切断することで、容器２から中栓４などを外し易くなるよう図られている。また、中栓本体部１０の段部１７の外周には、上蓋５に形成された後述するねじ部３１に螺合するねじ部２０が形成されている。
【００２１】
なお、この実施の形態では、中栓４に、弱化部１１を介して中栓本体部１０から離脱可能に設けられた離脱部１２が設けられている。離脱部１２は、弱化部１１の内側を少し中央側が若干下方に窪んだ状態で閉鎖する底面壁部２１と、底面壁部２１の外周寄り箇所（弱化部１１よりも少し内周側箇所）から上方に筒状に延びる離脱筒状部２２と、からなる。そして、開封時に、上蓋５を所定の開栓方向（この実施の形態では、平面視して反時計回り方向）ａに回転することで、離脱部１２に設けた離脱筒状部２２に、上蓋５に設けた後述する離脱用外筒部３６および離脱用内筒部３７が係合し、これにより、中栓４の弱化部１１が切断されて中栓本体部１０から離脱部１２が離脱され、中栓４に注出口が形成されるよう構成されている。但し、この構成に限るものではなく、離脱部１２を設けることなく、中栓４に、最初から注出口が形成されている構造でも差し支えない。
【００２２】
上蓋５は、略円板形状の天板部３２と、この天板部３２の外周縁から垂下する筒状の側壁面部３３と、側壁面部３３の外周に周方向に複数連続して形成され、平面視して鋸刃形状となるように径方向外側に突出する外周凹凸条部（いわゆるローレット）３４と、天板部３２における側壁面部３３よりも内周箇所から下方に垂下する筒状の上蓋円筒部３８と、上蓋円筒部３８よりもさらに内周側に形成されて天板部３２から垂下して中栓４のノズル部１６の先端部内周に接触して密閉するノズル密閉用筒部３５と、ノズル密閉用筒部３５よりもさらに天板部３２の内周側箇所から垂下する離脱用外筒部３６と、離脱用外筒部３６よりもさらに天板部３７の内周側箇所から垂下する離脱用内筒部３７などを有する。
【００２３】
上蓋円筒部３８の下端は、上蓋５を中栓４に被せた際に中栓４の上面部１５に上方から当接可能とされ、上蓋円筒部３８の内周には、中栓４のねじ部２０に螺合するねじ部３１が形成されている。ノズル密閉用筒部３５は、上蓋５を中栓４に被せた際に中栓４のノズル部１６に内周側から密接して、上蓋５を装着した際に容器５内の内容物が洩れ出さないよう密閉する。また、開封時に上蓋５を周方向に回転すると、上蓋５の離脱用外筒部３６および離脱用内筒部３７が中栓４の離脱筒状部２２に係合し、離脱部１２を中栓４から離脱させるとともに離脱部１２を保持するようになっている。
【００２４】
図１、図２に示すように、シュリンク包装体６は、容器２の口部３に取り付けられた中栓４および上蓋５に外周側から被せられるとともに熱収縮されて装着される。図１、図２、図７、図８に示すように、このシュリンク包装体６には、キャップの周方向に沿って形成された横ミシン目線６１と、この横ミシン目線６１に交差する縦方向に沿って形成された縦ミシン目線６２と、が設けられている。この実施の形態では、２つの横ミシン目線６１Ａ、６１Ｂが上下にわずかな間隔をあけて形成され、また、２つの縦ミシン目線６２Ａ、６２Ｂが、周方向に数ｍｍの間隔をあけて形成されている。なお、図７におけるｂは、キャップの鍔状部１８を覆う領域を示している。
【００２５】
ここで、横ミシン目線６１および縦ミシン目線６２は、点線または鎖線状（一鎖線状や二点鎖線状など）に切断されていればよく、切断部は点または短い直線などの何れの形状でもよく、切断し易い切断線が線状に形成されていればよい。また、横ミシン目線６１は、この横ミシン目線６１で切断されることにより、シュリンク包装体６が、開栓時に除去される除去部と中栓側に残余する残余部とに切断する。また、縦ミシン目線６２は、この縦ミシン目線６２で切断されることにより、シュリンク包装体６が、開栓時に前記除去部を縦方向に切断する。
【００２６】
また、この実施の形態では、シュリンク包装体６の各縦ミシン目線６２Ａ、６２Ｂの下端部と上側の横ミシン目線６２Ａとの接続部間の一部がつながった状態（すなわち、これらの接続部間も横ミシン目線６２Ａが設けられた状態）で横ミシン目線６２Ａが形成されている。
【００２７】
上記構成に加えて、中栓４の外周である鍔状部１８の外周に、径方向に突出して形成され、上蓋５が回転された際にシュリンク包装体６に引っ掛かる突状部４１が設けられている。この実施の形態では、突状部４１が、中栓４の外周である鍔状部１８の外周において、周方向に適当間隔（角度）ごとに、上下に線状に延びる縦リブ形状に一体形成されている。
【００２８】
また、図４、図６に示すように、この実施の形態では、突状部４１が、下方（または上方）から見て断面山形状に径方向外側に突出するように形成されているとともに、下方から見て、この断面山形状の底辺側から左側の傾斜面の傾斜角度が右側の傾斜面の傾斜角度よりも大きく、この結果、開封するために、上蓋５を中栓４に対して所定の回転方向（この実施の形態では、上から見て反時計回りであり、図６に示すように、下方から見た場合には時計回り（ａ方向））に回転した際に、突状部４１によって、シュリンク包装体６がより良好に引っ掛かるように構成されている。
【００２９】
また、図１、図２、図７に示すように、この実施の形態では、横ミシン目線６１（６１Ａ、６１Ｂ）が、突条部４１が設けられている中栓４の外周（鍔状部１８の外周）よりも下方で径が小さい箇所に設けられている。
【００３０】
上記構成によれば、シュリンク包装体６に、横ミシン目線６１（６１Ａ、６１Ｂ）と縦ミシン目線６２（６２Ａ、６２Ｂ）とを設ける構成に加えて、中栓４の外周である鍔状部１８の外周に突状部４１を設けているので、上蓋５（詳しくは、シュリンク包装体６における上蓋５を覆っている箇所）を開く方向に回転させると、突状部４１がシュリンク包装体６に引っ掛かりながら移動して、シュリンク包装体６が径方向に拡がったり上方にめくれ上がったりするなどして比較的大きく変形するとともに横ミシン目線６１（６１Ａ、６１Ｂ）や縦ミシン目線６２（６２Ａ、６２Ｂ）が切断される（すなわち、突状部４１がシュリンク包装体６を引っ掛けて少なくとも横ミシン目線６１（６１Ａ、６１Ｂ）による切断を促進させる）。
【００３１】
これにより、中栓４および上蓋５を外側から覆うシュリンク包装体６を一旦開封すると、シュリンク包装体６が比較的大きく変形しながら、横ミシン目線６１（６１Ａ、６１Ｂ）や縦ミシン目線６２（６２Ａ、６２Ｂ）が切断される。この結果、分離したシュリンク包装体６と上蓋５とを装着状態に戻した場合（容器２に装着し直した場合）でも、開封済であることを確実に視認することができて、悪戯防止機能などを良好に維持することができる。
【００３２】
また、中栓４の外周に突状部４１が形成されていることで、シュリンク包装体６を熱収縮させて装着する際に、シュリンク包装体６を、一層、張った状態で装着することができて、上蓋５を回転させて開封する際に、突状部４１によって、横ミシン目線６１（６１Ａ、６１Ｂ）や縦ミシン目線６２（６２Ａ、６２Ｂ）を、これらの箇所の近傍を変形させながら、より良好に切断できる利点もある。
【００３３】
なお、この実施の形態では、シュリンク包装体６の各縦ミシン目線６２Ａ、６２Ｂの下端部と上側の横ミシン目線６１Ａとの接続部間の一部がつながった状態（すなわち、これらの接続部間も横ミシン目線６２Ａが設けられた状態）で横ミシン目線６１Ａが形成されている。したがって、この構成においては、未開封状態から上蓋５を回転させると、最終的にはシュリンク包装体６の各縦ミシン目線６２Ａ、６２Ｂの下端部と上側の横ミシン目線６１Ａの接続部間がつながりながら、この上側の横ミシン目線６１Ａの他の部分と、縦ミシン目線６２Ａ、６２Ｂの一部（下部側）とが切断されて、切断された部分が螺旋形状に変形して分離された状態となり易くなる。したがって、このような状態から、意図的に分離したシュリンク包装体６と上蓋５とを装着状態に戻した者がいた場合でも、シュリンク包装体６を元の状態に近づけることは困難であり、キャップ１を見た人は開封済であることを確実に視認することができる。
【００３４】
また、上記構成においては、横ミシン目線６１（６１Ａ、６１Ｂ）が、突状部４１が設けられている中栓４の外周よりも下方で径が小さい箇所に設けられている。この構成により、未開封状態から上蓋５を回転させると、横ミシン目線６１（６１Ａ、６１Ｂ）が、突状部４１が設けられている中栓４の外周に達した際に、径が広がりながら突状部４１により引っ掛けられるため、さらに良好に切断され易くなる。したがって、横ミシン目線６１（６１Ａ、６１Ｂ）の切断作業をより小さな力で容易に作業能率よく行うことができる。また、シュリンク包装体６における横ミシン目線６１（６１Ａ、６１Ｂ）の近傍箇所が、より径方向に拡げられながら切断されるので、シュリンク包装体６の変形度合いも大きくなり、キャップ１を見た人は開封済であることをさらに確実に視認することができる。
【００３５】
また、上記実施の形態においては、シュリンク包装体６の各縦ミシン目線６２Ａ、６２Ｂの下端部と上側の横ミシン目線６１Ａとの接続部間の一部がつながった状態（すなわち、これらの接続部間も横ミシン目線６２Ａが設けられた状態）で横ミシン目線６１Ａが形成されている場合を述べたが、これに限るものではない。
【００３６】
例えば、図９〜図１２に示すように、このシュリンク包装体６では、縦ミシン目線６２が複数（例えば、２つの縦ミシン目線６２Ａ、６２Ｂが）形成され、各縦ミシン目線６２Ａ、６２Ｂの下端部が下側の横ミシン目線６１Ｂに接続されている。さらに、シュリンク包装体６の各縦ミシン目線６２Ａ、６２Ｂの下端部と下側の横ミシン目線６１Ｂとの接続部間が切断線６３により切断されている（切断線６３によりつながっている部分がない状態で完全に切断されている）。
【００３７】
この構成によれば、未開封状態から上蓋５を回転させると、最終的にはシュリンク包装体６の横ミシン目線６１（詳しくは、上側の横ミシン目線６１Ａまたは下側の横ミシン目線６１Ｂ）でこれより上方の部分（前記除去部）と、下方の部分（前記残余部）とが、互いに大きく分離された状態となる。例えば、横ミシン目線６１（６１Ａ、６１Ｂ）よりも下方の部分（前記残余部）が、中栓４の突状部４１が設けられている外周よりも下方に残り、一方で、横ミシン目線６１（６１Ａ、６１Ｂ）よりも上方の部分（前記除去部）は、外周側および上方に大きく変形した状態となる。したがって、このような状態から、意図的に分離したシュリンク包装体６と上蓋５とを装着状態に戻した者がいた場合でも、シュリンク包装体６を元の状態に近づけることは困難であり、キャップ１を見た人は開封済であることを確実に視認することができる。この結果、悪戯防止機能を良好に維持することができる。
【００３８】
なお、図１３に示すように、各縦ミシン目線６２Ａ、６２Ｂの下端部が各横ミシン目線６１（上側の横ミシン目線６１Ａだけでなく下側の横ミシン目線６１Ｂにも）にそれぞれ接続されるように構成してもよい。図１３における６４は横ミシン目線６１の接続部分を示しており、下方の横ミシン目線６１の接続部分６４については横ミシン目線６１の接続部分間を完全に切断する切断線６３で構成している場合を示しているが、接続部分６４をミシン目線により構成してもよい。
【００３９】
また、シュリンク包装体６の横ミシン目線６１を、シュリンク包装体６が未開封状態で、突状部４１が設けられている中栓４の外周に対応する箇所（この実施の形態では、中栓４の鍔状部１８の外周）に設けてもよい。この構成によっても、上蓋５を開く方向に回転させると、突状部４１がシュリンク包装体６に引っ掛かりながら移動して、シュリンク包装体６が径方向に拡がったり上方にめくれ上がったりするなどして比較的大きく変形するとともに横ミシン目線６１（６１Ａ、６１Ｂ）や縦ミシン目線６２（６２Ａ、６２Ｂ）が切断されるので、分離したシュリンク包装体６と上蓋５とを装着状態に戻した場合でも、開封済であることを確実に視認することができる。
【００４０】
また、上記実施の形態においては、突状部４１が、中栓４の外周である鍔状部１８の外周において、周方向に適当間隔（角度）ごとに、上下に線状に延びる縦リブ形状に一体形成されている場合を述べたが、これに限るものではない。例えば、図１４に示すように、中栓４の外周である鍔状部１８の外周の一部（例えば鍔状部１８の外周の下端部）が外周にフランジ状に拡がるように突状部４２を形成したり、図１５に示すように、突起状の突状部４３を径方向に突出して周方向に多数形成したりしてもよい。
【００４１】
このような構成によっても、上蓋５を開く方向に回転させると、突状部４２、４３がシュリンク包装体６に引っ掛かりながら移動して、シュリンク包装体６が径方向に拡がったり上方にめくれ上がったりするなどして比較的大きく変形するとともに横ミシン目線６１（６１Ａ、６１Ｂ）や縦ミシン目線６２（６２Ａ、６２Ｂ）が切断される。この結果、分離したシュリンク包装体６と上蓋５とを装着状態に戻した場合（容器２に装着し直した場合）でも、開封済であることを確実に視認することができて、悪戯防止機能などを良好に維持することができる。
【００４２】
また、上記の実施の形態では、シュリンク包装体６に横ミシン目線６１（６１Ａ、６１Ｂ）および縦ミシン目線６２（６２Ａ、６２Ｂ）をそれぞれ２つずつ形成している場合を述べたが、横ミシン目線６１（６１Ａ、６１Ｂ）や縦ミシン目線６２（６２Ａ、６２Ｂ）を３つ以上設けてもよい。ただし、これに限るものではなく、横ミシン目線６１（６１Ａ、６１Ｂ）や縦ミシン目線６２（６２Ａ、６２Ｂ）の少なくとも一方を１つずつ設けてもよい。
【符号の説明】
【００４３】
１      シュリンク包装体付きキャップ
２      容器
３      口部
４      中栓
５      上蓋
６      シュリンク包装体
１０    中栓本体部
１１    弱化部
１２    離脱部
１６    ノズル部
１８    鍔状部
２０、３１    ねじ部
３２    天板部
３３    側壁面部
３４    外周凹凸条部（ローレット）
４１、４２、４３    突状部
６１、６１Ａ、６１Ｂ    横ミシン目線
６２、６２Ａ、６２Ｂ    縦ミシン目線
６３    切断線
６４    横ミシン目線の接続部分
【図１】
2020059539.tif 000003
【図２】
2020059539.tif 000004
【図３】
2020059539.tif 000005
【図４】
2020059539.tif 000006
【図５】
2020059539.tif 000007
【図６】
2020059539.tif 000008
【図７】
2020059539.tif 000009
【図８】
2020059539.tif 000010
【図９】
2020059539.tif 000011
【図１０】
2020059539.tif 000012
【図１１】
2020059539.tif 000013
【図１２】
2020059539.tif 000014
【図１３】
2020059539.tif 000015
【図１４】
2020059539.tif 000016
【図１５】
2020059539.tif 000017